(57)【要約】【解決手段】軟質合成樹脂からなる密封状態の外皮１，１内に、でんぷん糊２が前記外皮１，１内で移動可能な程度に充填されている。マネキンＭの腹と胴側部から背中にわたって巻き付ける部分３，４，５と、外皮１，１内で前記各巻付部分３，４，５と連通する部分的修正用部分６とを有している。【効果】このパッドＰをマネキンＭの腹と胴側部から背中にわたって装着し、パッドＰの上から手で押えながら、密封状態の外皮１，１内ででんぷん糊２を移動させれば、マネキンＭの体形を自由に変えることができ、補整後の体形も好適に保持できる。部分的修正用部分６における外皮１，１内のでんぷん糊２のボリュームを増大させると、例えばマネキンＭの乳房部分の形状をカップ状の好適な形状に補整でき、補整後の形状も好適に保持できる。【選択図】図３
0003128361.tif 000002
【実用新案登録請求の範囲】
【請求項１】
軟質合成樹脂からなる密封状態の外皮内に、でんぷん糊が前記外皮内で移動可能な程度に充填されていることを特徴とするマネキンの体形補整用パッド。
【請求項２】
マネキンの胴から背中にかけて巻き付ける部分と、外皮内で前記巻付部分と連通する部分的修正用部分とを有することを特徴とする請求項１記載のマネキンの体形補整用パッド。
【考案の詳細な説明】
【技術分野】
【０００１】
本考案は、マネキンの体形を補整するために用いられるパッドに関するものである。
【背景技術】
【０００２】
洋服、下着その他の衣服の型付けや装飾には、通常、マネキンが用いられる。最も一般的なマネキンは、合成樹脂、繊維強化樹脂あるいは紙などの成形材料を人体の形状に酷似するように成形したものであり、柔軟性に欠けたハードなものである。
【０００３】
ハードなマネキンに例えばブラジャーなどの下着を装着しても、乳房、腹部、背中等人体の軟らかい部分と同じように下着がフィットしないから、着用する人のボディに下着が如何にフィットするかを判断することができず、着用時における下着の良否を見極めることができないという欠点がある。
【０００４】
この欠点を解消するために、ハードなマネキンに代わってソフトなマネキンが提案されている（例えば、特許文献１参照）。
【０００５】
【特許文献１】特開平７−７０８０６号公報
【考案の開示】
【考案が解決しようとする課題】
【０００６】
特許文献１に開示されているマネキンは硬さの異なる複数の素材層を有しており、それらはウレタン系ゲル、ＰＶＡ系ゲル、シリコン系ゲルなど全てゲル状物質で形成されている。したがって、弾力性には優れていると言えるが、力を加えて変形させても元に戻りやすく、また、多層構造にしなければならないなど構造が自ずと複雑にならざるを得ず、それだけマネキンの製作に時間を要するほか、コスト的にも問題がある。
【０００７】
特に、用いられている素材がゲル状物質であるため、廃棄時に一般ゴミとして出せないという致命的欠陥がある。近年の地球環境に優しい材料が好まれる時代にあって、このような物質は時代に逆行する素材として嫌われるであろう。
【０００８】
また、上述したソフトなマネキンとは別に、人体に近い肌触りをしていて体外からの補整、補綴や人体の軟組織部の補整、補綴あるいは人体の疑似モデル、握力起伏用リハビリ器具などに用い得るゲル状弾性体も提案されている（例えば、特許文献２参照）。
【０００９】
【特許文献２】特開平６−７９８４７号公報
【００１０】
この弾性体の構造はポリウレタンゲルをそれと密着したポリウレタン弾性フィルムで覆ったものであり、これまた弾力性には優れていると言えるが、充填されている物質が特許文献１の場合と同様ゲル状物質であるので、上述したような諸々の欠点を有していることに変わりはない。
【００１１】
本考案は、上述したような欠点のない物質を軟質合成樹脂からなる密封状態の外皮内に充填することにより、廃棄時にも一般ゴミとして出せるようにするとともに、前記外皮内で充填した物質が移動できるようにすることにより、従来のような弾力性とは全く異なる性質を有するマネキンの体形補整用パッドを提供することを目的とするものである。
【課題を解決するための手段】
【００１２】
上記目的を達成するために、本考案では、軟質合成樹脂からなる密封状態の外皮内に、でんぷん糊が前記外皮内で移動可能な程度に充填されている。
このようなマネキンの体形補整用パッドであれば、軟質合成樹脂からなる密封状態の外皮内ででんぷん糊を自由に移動させることができ、でんぷん糊の充填でパッドには従来のような弾力性はなく、力を加えて変形させても元に戻りにくい状態になっている。
したがって、この体形補整用パッドをマネキンに装着してパッドの上から手で押えながら、軟質合成樹脂からなる密封状態の外皮内ででんぷん糊を移動させれば、マネキンの体形を自由に変えることができ、補整後の体形も好適に保持できる。
【００１３】
マネキンの胴から背中にかけて巻き付ける部分と、外皮内で前記巻付部分と連通する部分的修正用部分とを有するものとしておくことが望ましい。
このようになっていると、前記巻付部分をマネキンの胴から背中にかけて巻き付けておいて、その部分の外皮内のでんぷん糊を外から手で押え付けながら部分的修正用部分の方に移動させると、部分的修正用部分における外皮内のでんぷん糊のボリュームを増大させることができるので、マネキンの体形を部分的に修正したい部分の形状をカップ状に近い好適な形状に補整でき、補整後の形状も好適に保持できる。
一方、マネキンの胴から背中にかけて巻き付けた巻付部分における外皮内のでんぷん糊の量は、部分的修正用部分の方に移動しただけ少なくなるので、マネキンの胴から背中にかけてパッドの当該部分を密着させることができる。
【００１４】
この考案によるマネキンの体形補整用パッドの充填物は、地球環境に優しいでんぷん糊であり、廃棄時にも一般ゴミとして出すことができるので、極めて好都合である。
【考案の効果】
【００１５】
請求項１記載のマネキンの体形補整用パッドを用いた場合には、パッドの上から手で押えながら、軟質合成樹脂からなる密封状態の外皮内ででんぷん糊を移動させれば、マネキンの体形を自由に代えることができ、補整後の体形も好適に保持できる。
【００１６】
請求項２記載のマネキンの体形補整用パッドを用いた場合には、マネキンの体形を部分的に修正したい部分の形状をカップ状に近い好適な形状に補整でき、補整後の形状も好適に保持できる。一方、マネキンの胴から背中にかけて巻き付けられる部分の内部では、部分的修正用部分の方に移動せしめられたでんぷん糊の量だけ少なくなるので、マネキンの胴から背中にかけてパッドの当該部分を密着させることができる。
【００１７】
そして、請求項１又は２記載のマネキンの体形補整用パッドによれば、その充填物が地球環境に優しいでんぷん糊であり、廃棄時にも一般ゴミとして出すことができるので、極めて好都合である。
【考案を実施するための最良の形態】
【００１８】
本考案に係るマネキンの体形補整用パッドの一例を、図面を参照しながら詳細に説明する。
ここに例示するマネキンの体形補整用のパッドＰは、軟質合成樹脂からなる密封状態の表裏２枚の外皮１，１内に、でんぷん糊２が前記外皮１，１内で移動可能な程度に充填されたものである。そして、このパッドＰはマネキンＭの胴である腹と胴側部から背中にわたって巻き付ける部分３，４，５と、外皮１，１内で前記各巻付部分３，４，５と連通する部分的修正用部分６とを有するように成形されている。
【００１９】
マネキンＭの腹と胴側部から背中にわたって巻き付ける部分３，４，５の内部では、各部分３，４，５がほぼ平坦となるように内容物としてのでんぷん糊２の量を少な目に入れた状態に、部分的修正用部分６の内部では、その部分６がカップ状に近い形状に膨らむように内容物としてのでんぷん糊２の量を多目に入れた状態にする方が、マネキンＭの体形補整には好適である。もっとも、それぞれの部分３，４，５，６は前記外皮１，１内で互いに連通しているので、内容物としてのでんぷん糊２は前記外皮１，１内で自由に移動させることができ、どの部分にどれだけの量のでんぷん糊を入れるかはマネキンＭの体形補整に応じて決めればよい。
【００２０】
このようなパッドＰであれば、軟質合成樹脂からなる密封状態の外皮１，１内ででんぷん糊２を自由に移動させることができ、でんぷん糊２の充填でパッドＰには従来のような弾力性はなく、力を加えて変形させても元に戻りにくい状態になっている。
したがって、例えば、図４に示すように、このパッドＰをマネキンＭの腹と胴側部から背中にわたって装着し、パッドＰの上から手で押えながら、軟質合成樹脂からなる密封状態の外皮１，１内ででんぷん糊２を部分的修正用部分６の方へ移動させれば、マネキンＭの体形を部分的に修正したい部分の形状を自由に変えることができ、補整後の体形も好適に保持できる。
【００２１】
特に、マネキンＭの腹と胴側部から背中にわたって巻き付ける部分３，４，５と、外皮１，１内で前記各巻付部分３，４，５と連通する部分的修正用部分６とを有しているので、前記各巻付部分３，４，５をマネキンＭの腹と胴側部から背中にわたって巻き付けておいて、その部分の外皮１，１内のでんぷん糊２を外から手で押え付けながら部分的修正用部分６の方に移動させると、図３に示すように、部分的修正用部分６における外皮１，１内でのでんぷん糊２のボリュームを増大させることができるので、図４に示すように、マネキンＭの体形を部分的に修正したい部分の形状をカップ状に近い好適な形状に補整でき、補整後の形状も好適に保持できる。
一方、マネキンＭの腹と胴側部から背中にわたって巻き付けた巻付部分３，４，５における外皮１，１内のでんぷん糊２の量は、部分的修正用部分６の方に移動しただけ少なくなるので、マネキンＭの腹と胴側部から背中にかけてパッドＰの当該部分３，４，５を密着させることができる。
【００２２】
図４とその説明では、マネキンＭの体形を部分的に修正したい部分として乳房部分を想定し、当該部分の形状を修正するために本考案のパッドＰを用いた場合について図示・説明したが、これに代わる場合として例えば臀部の形状を修正したい場合にも本考案のパッドＰを使用することができる。すなわち、前記部分的修正用部分６をマネキンＭの体形を部分的に修正したい様々なところに位置させ、その部分６をカップ状に近い形状に膨らませることによってマネキンＭの体形を部分的に修正することができる。特に、マネキンＭの中でも、こんもりと盛り上がる部分の形状を修正するのに最適である。
【００２３】
外皮１，１の素材としての前記軟質合成樹脂としては、例えば、ポリビニールフィルムを挙げることができるが、比較的軟らかくて外部からの力で容易に変形させ得る素材であればよい。
また、内容物としての前記でんぷん糊２とは小麦、いも、とうもろこしなどの食品グレードのでんぷんを主成分とするものをいい、この成分に水、防腐剤、香料が添加されている。通常、でんぷん糊においては、８０％程度が水であり、それ以外に微量の防腐剤、香料が含まれている。でんぷん糊ＬはＤ５０＝２０，０００ｍｇ／Ｋｇ（マウス）という結果からも極めて安全性の高いものであり、一般ゴミとして廃棄しても何ら問題はない。
【００２４】
表裏２枚の外皮１，１を密封状態にするには、図１に示すように、パッドＰの形をした雄型Ａと雌型Ｂとを用い、２枚の袋状軟質合成樹脂製の外皮１，１を雄型Ａ、雌型Ｂ間に配置し、雄型Ａ、雌型Ｂの周囲であってパッドＰの周縁部１ａに相当する部分に熱と圧力とを掛けてシールする。この場合において、内容物の注入口として、前記周縁部１ａの一部１ｂをシールせずに開口しておく。
なお、雄型Ａは単なる平板状のもので十分である。また、雌型Ｂには、平板状の前記雄型Ａが嵌まる程度の窪みｂが形成されておれば十分である。
【００２５】
次いで、シールした外皮１，１を前記雄型Ａ、雌型Ｂ間から外した上で、シールしたパッドＰの周縁部１ａに相当する部分の外側を少し残してカットすると、図２に示すように、パッドとしての平らな包装材料ｐを成形することができる。そして、この平らな包装材料ｐの一部である前記部分的修正用部分６に熱と圧力とを掛けながらしごいて、その部分６をカップ状に近い形に成形する。
【００２６】
しかる後、前記開口部１ｂから前記包装材料ｐ内にでんぷん糊２を注入する。この場合において、でんぷん糊２を前記外皮１，１内で移動可能な程度に充填する。そして、前記でんぷん糊２が前記外皮１，１内で移動可能な程度に、パッドとしての平らな包装材料ｐ内を減圧し、開口部１ｂをシールする。ただし、平らな包装材料ｐ内を真空状態にした場合には、内容物としてのでんぷん糊２を前記外皮１，１内で移動させることができないので、避けなければならない。
かくして、軟質合成樹脂からなる密封状態の表裏２枚の外皮１，１内に、でんぷん糊２が前記外皮１，１内で移動可能な程度に充填されたパッドＰを得ることができる。
【００２７】
このパッドＰを用いた場合には、上述したように、マネキンＭの腹と胴側部から背中にわたって巻き付ける部分３，４，５に対して、前記部分的修正用部分６の内部に前記でんぷん糊２を多目に送り込むことにより、図３に示すように、この部分６をカップ状に近い形状に膨らませることができるので、図４に示すように、マネキンＭの部分的修正用部分（例えば、乳房部分や臀部）の形状をカップ状に近い好適な形状に補整でき、補整後の形状も好適に保持できる。
一方、マネキンＭの腹と胴側部から背中にわたって巻き付けた巻付部分３，４，５における外皮１，１内のでんぷん糊２の量は、部分的修正用部分６（例えば、乳房部分や臀部）の方に移動しただけ少なくなるので、マネキンＭの腹と胴側部から背中にかけてパッドＰの当該部分３，４，５を密着させることができる。
【００２８】
ここに例示したマネキンの体形補整用パッドＰの充填物は、上述したように、従来のゲル状の充填物のような弾力性はなく、力を加えて変形させても元に戻りにくい状態のものであるので、マネキンＭの腹と胴側部から背中にかけての部分とマネキンＭの例えば乳房部分や臀部など部分的修正用部分６の補整と補整後の形状保持に好適であるのみならず、外皮内の充填物は地球環境に優しいでんぷん糊であるから、廃棄時にも一般ゴミとして出すことができる。
【図面の簡単な説明】
【００２９】
【図１】本考案の一例としてのマネキンの体形補整用パッドを成形するための一対の型と、その間に配置する２枚の袋状軟質合成樹脂製の外皮とを合わせて示す概略図である。
【図２】図１に示す一対の型を用いて成形されたパッドとしての平らな包装材料の一例を示す平面図である。
【図３】図２に示す平らな包装材料内に、でんぷん糊を外皮内で移動可能な程度に充填した状態を示す斜視図である。
【図４】本考案のマネキンの体形補整用パッドを、マネキンの乳房部分を修正するために適用した場合の一例を示す側面図である。
【符号の説明】
【００３０】
１…外皮、２…でんぷん糊、３…腹に巻き付ける部分、４…胴側部に巻き付ける部分、５…背中に巻き付ける部分、６…部分的修正用部分、Ｐ…パッド、ｐ…包装材料、Ｍ…マネキン。
【図１】
0003128361.tif 000003
【図２】
0003128361.tif 000004
【図３】
0003128361.tif 000005
【図４】
0003128361.tif 000006